(57)【要約】【課題】  ティッシュペーパーの残量を外部から目視できる窓を有し、その窓をあけるためにボックス本体から分離した切り取り部を宣伝広告に利用可能にするとともに、磁気吸着可能として、ティッシュペーパー消費後も宣伝効果を発揮し得るようにする。【解決手段】  ティッシュペーパーを収納するボックス本体に残量を知ることができる窓を有するティッシュペーパー用ボックスについて、ボックス本体１０に残量表示用の窓を形成するための切り取り線を設けることにより、切り取り線に囲まれボックス本体１０から分離可能な切り取り部１２を形成し、切り取り部１２は、外面を広告１４の表示面として利用するとともに、分離した切り取り部１２を磁性体に磁気吸着させるための磁気吸着手段１５を内面に有する。【選択図】          図１
0003109131.tif 000002
【実用新案登録請求の範囲】
【請求項１】
ティッシュペーパーを収納するボックス本体に残量を知ることができる窓を有するティッシュぺーパー用ボックスであって、ボックス本体に残量表示用の窓を形成するための切り取り線を設けることにより、切り取り線で囲まれボックス本体から分離可能な切り取り部を形成し、切り取り部は、外面を広告の表示面として利用するとともに、分離した切り取り部を磁性体に磁気吸着させるための磁気吸着手段を内面に有するものとしたティッシュぺーパー用ボックス。
【請求項２】
ボックス本体は、ティッシュぺーパーの取り出し口を有しており、その取り出し口を覆っている部分は切り取り線で囲まれていてボックス本体から分離可能であり、取り出し口覆い部は、外面を広告の表示面として利用するとともに、内面に磁気吸着手段を有している請求項１記載のティッシュぺーパー用ボックス。
【請求項３】
ボックス本体は厚紙製、磁気吸着手段は、磁気粉を混入した樹脂製シートを材料として構成されている請求項１又は２記載のティッシュぺーパー用ボックス。
【考案の詳細な説明】
【技術分野】
【０００１】
本考案は、ティッシュペーパーを収納するボックス本体に残量を知ることができる窓を有するティッシュペーパー用ボックスに関するものである。
【背景技術】
【０００２】
ボックス入りティッシュペーパーは内容量が２００枚程度と比較的多く、取り出し口も狭い箱入りである等の理由により残量が分かりにくい。そのため箱の側面に窓を設け残量を知り得るようにする工夫がなされており、この種の出願は数多くある（例えば実開昭５３−１０８５３６号）。一方、ボックス入りティッシュペーパーは広告、宣伝用途にも使われる。しかし、ティッシュを使いきってしまえば箱に使いみちはなく、捨てられるだけである。
【０００３】
【特許文献１】実開昭５３−１０８５３６号
【考案の開示】
【考案が解決しようとする課題】
【０００４】
本考案は前記の点に着目してなされたもので、その課題は、ティッシュペーパーの残量を外部から目視できる窓を有し、その窓をあけるためにボックス本体から分離した切り取り部を宣伝広告に利用可能とするとともに、磁気吸着可能として、ティッシュペーパー消費後も宣伝効果を発揮し得るようにすることである。
【課題を解決するための手段】
【０００５】
前記の課題を解決するため、本考案は、ティッシュペーパーを収納するボックス本体に残量を知ることができる窓を有するティッシュぺーパー用ボックスについて、ボックス本体に残量表示用の窓を形成するための切り取り線を設けることにより、切り取り線で囲まれボックス本体から分離可能な切り取り部を形成し、切り取り部は、外面を広告の表示面として利用するとともに、分離した切り取り部を磁性体に磁気吸着させるための磁気吸着手段を内面に有するものとするという手段を講じたものである。
【０００６】
ティッシュペーパーを収納するボックス本体は、例えばボックス入りティッシュペーパーの箱として一般に知られている直方体状のものが該当する。この種のボックス本体は、一般的に厚紙製であり、厚紙材を打ち抜いてブランクを形成し、それに対して折り曲げ、接着等必要な加工を施して、立体に組み立てられる。厚紙材には、予め行われた計画に基いて印刷が施されており、またティッシュペーパー取り出し口に内側からプラスチックフィルム類を貼り付けるような下準備も必要に応じて行われる。
【０００７】
ボックス本体には残量表示用の窓が設けられている。残量表示が目的であるから、ボックス本体の側面に窓を設けるのが最上であり、窓は上下に長い方がよりベターであり、また残量がゼロに近いかどうかの確認が重要であるから、なるべく低い位置まで設けることが望ましい。窓は切り取り線で囲まれた切り取り部と同形であり、切り取り部を分離したあとの開口が窓開口である。切り取り線は、厚紙地にいわゆるミシン目などを形成して、例えば指先で押し切れる程度に、破断強度を弱めた線状の部分であり、前記の厚紙材を打ち抜く工程において形成することができる。
【０００８】
切り取り部も、したがって、窓開口と同形同大であり、その外面を利用して広告の表示面とする。表示面は、厚紙材に直接印刷する方法が最も一般的である。しかし別に形成したシール状のものを貼り付けても良い、具体的な設け方は任意である。そして切り取り部の内面には磁気吸着手段を設け、切り取り部を、鉄板等の磁性体に磁気吸着させることができるようにする。磁気吸着手段は、厚紙製の切り取り部に一体化するものであるから、いわゆるマグネットラバーのように磁気粉を混入した樹脂製シートを使用することができる。
【０００９】
また、ボックス本体は、ティッシュぺーパーの取り出し口を有しており、その取り出し口を覆っている部分は切り取り線で囲まれていてボックス本体から分離可能であり、取り出し口覆い部は、外面を広告の表示面として利用することができるとともに、内面に磁気吸着手段を有している構成を具備していても良い。この取り出し口覆い部についても、外面に広告を、また内面に磁気吸着手段を、前記の切り取り部におけるのと同様に設けることができる。
【００１０】
磁性体に磁気吸着させることができる切り取り部、それに取り出し口覆い部は、磁性体上にメモなどの紙片を挟んで止める磁石式メモ挟みとして使用することができる。残量及び取り出し口覆い部の切り取り部をメモ挟みとして使用することにより、ティッシュペーパー用ボックスの廃棄後もその一部が使用され続けることになり、その間、外面の広告が生きるので、宣伝効果は大変大きなものとなる。
【考案の効果】
【００１１】
本考案は以上の如く構成されかつ作用するものであるから、ティッシュペーパーの残量を外から目視する窓を開けることにより、ボックス本体から分離した切り取り部を宣伝広告に利用するとともに、磁気吸着可能とすることによりメモ挟みとして使用することができるので、長期間宣伝効果が持続し、有益である。
【考案を実施するための最良の形態】
【００１２】
以下図示の実施形態を参照して本考案をより詳細に説明する。図１はティッシュペーパーを収納するボックス本体１０の外観を示す斜視図であり、このボックス本体１０は厚紙より成り、予め表面等のデザインを印刷したもので、原紙から打ち抜き加工によりブランクを得て、曲げ加工及び接着加工により箱状に形成されているものである。なお、ティッシュペーパーはボックス本体１０を箱状に組み立て、最終的に封緘する前の任意の段階で内部に収納される。
【００１３】
ボックス本体１０は、側面に残量表示用の窓１１を有しており、この窓はボックス本体１０の紙材に予め設けられた切り取り線に沿って切り取り線で囲まれた部分を切り取り、ボックス本体１０から分離することにより開口しているもので、窓開口と同形同大の切り取り部１２が必然的に発生する。なお、例示した窓１１は比較的低い位置に設けられ、その内側には透明フィルムより成るカバー１３が貼り付けられている。従って窓１１の内縁或いは切り取り部１２の外縁は切り取り線そのものであった部分である。
【００１４】
切り取り部１２は、外面が広告１４の表示面として利用されており、例示した広告１４は、予め印刷によって設けられたものである。しかし、広告１４をシールなどによって形成しても良いことは既に説明したとおりである。切り取り部１２の内面側にはマグネットラバーと呼ばれる磁化粉を混合した樹脂シートから成る磁気吸着手段１５が貼り付けられており、切り取り部１２はこれで２重構造を備えることにより剛性が向上している。このことは平面性を得る上で有効であり、平面性は磁気吸着時に磁性体表面に面接触させ、メモ挟みとして使用する上で必要である。逆に、曲面に面接触させるために柔軟に曲がり得るように作製することも可能であるから、設計値どおりの磁気吸着力を得ることにも寄与している。
【００１５】
ティッシュペーパー用ボックスは、ボックス本体１０の上面に取り出し口１６を有し、それと同形同大の取り出し口覆い部１７も切り取り線で囲まれ、ボックス本体１０から分離可能な構造になっている。取り出し口覆い部１７は、直方体より成るボックス本体１０の長手方向に細長い形態を有し、一般的なティッシュペーパー用ボックスの取り出し口覆い部１７はそれだけのものであるが、本考案の場合には取り出し口覆い部１８に数個の切り取り部１９を設けてその外面に広告２１を、またその内面に磁気吸着手段２２を夫々有するものとし、数個のメモ挟みを得るようになっている。取り出し口覆い部１８はそのまま全体を切り取り部１９としても良い。
【００１６】
従って本発明によれば、上記のようにボックス本体側面の窓１１を開けることによってティッシュペーパーの残量を知ることができるようになると同時に、切り取って得た切り取り部１２、１９をメモ挟みとして使用することができるようになる。切り取り部１２、１９は任意の宣伝広告の表示に利用されるので、ボックス本体１０から分離したあとには独自の宣伝効果を発揮する。
【００１７】
なお、ボックス本体１０から切り取り線に沿って切り取り部１２、１９を実際に切り取るのは、ティッシュペーパーの使用者の手に渡ってからである。切り取り部１２、１９をメモ挟みなどとして使用することを考慮して、切り取り線は切り取りやすい、切り取り跡がきれいなものであることが望ましい。
【図面の簡単な説明】
【００１８】
【図１】本考案に係るティッシュペーパー用ボックスの実施形態の１例を示す分解斜視図。
【図２】図１のものの切り取り部部分を示す拡大断面図。
【符号の説明】
【００１９】
１０  ボックス本体
１１  窓
１２、１９  切り取り部
１４、２１  広告
１５、２２  磁気吸着手段
１６  取り出し口
１７、１８  取り出し口覆い部
【図１】
0003109131.tif 000003
【図２】
0003109131.tif 000004